(57)【特許請求の範囲】
【請求項１】
内周面に螺溝(3)を刻設した外筒体(2)と、該外筒体(2)の上端部に回動自在に組付き、下端部にブラシ(32)を有したブラシ体(31)を前記外筒体(2)内から下方に突き出させて、上下動可能に、回動不能に組付けた有頂円筒状の回転体(21)と、該回転体(21)と前記外筒体(2)の相対回動により前記ブラシ(32)を収束した状態で外装するカバー筒(19)を前記外筒体(2)に対し昇降させる繰出し機構(K)と、基端を前記回転体(21)の頂壁(22)の下面に位置させ、前記ブラシ体(31)を下方に付勢するスプリング(27)と、を有するブラシ部(1)と、胴部(43a)内周面に前記カバー筒(19)の下端面が当接するアゴ部(43a1)を周設し、底部(43b)に化粧料(46)を収納する有底円筒状の収納本体(43)と、からなり、前記ブラシ体(31)を、ブラシ(32)がカバー筒(19)で外装された状態で収納本体(43)の上部開口部から挿入し、該収納本体(43)内に収納可能な構成とし、該挿入操作において、カバー筒(19)の下端面が前記アゴ部(43a1)に当接して、外筒体(2)内に後退し、前記ブラシ(32)が繰出し機構(K)の作用による回動状態で、かつスプリング(27)による押圧状態で中皿体(48)の化粧料(46)に当接する構成とした、ブラシ化粧品容器。
【請求項２】
回転体(21)へのブラシ体(31)の組付きを、上端部を回転体(21)の頂壁(22)下面から垂下設した嵌合筒片(23)に下方への抜け出し不能、上下動可能、かつ回動不能に組付きし、下端部にブラシ体(31)を組付き固定する、細筒状の軸筒材(24)を用いて達成する構成とした、請求項１記載のブラシ化粧品容器。
【請求項３】
繰出し機構(K)を、外筒体(2)の螺溝(3)と、略全高さ範囲にわたって縦長のガイド孔(12)を開設し、該外筒体(2)に内接する内筒体(11)と、外周面に前記ガイド孔(12)を貫通して先端を外筒体(2)の螺溝(3)に螺合させる螺合ピン(18) を突設し、昇降変位可能に前記内筒体内(11)に挿入組付けされる円筒体片(17)とから形成し、回転体(21)を、前記内筒体(11)の上端部に組付き固定し、カバー筒(19)を前記円筒体片(17)に組付き固定した構成とした、請求項１または２記載のブラシ化粧品容器。
【請求項４】
収納本体(43)の底部(43b)を、着脱自在な中皿体(48)とした、請求項１、２または３記載のブラシ化粧品容器。
【請求項５】
中皿体(48)を透明とした請求項４記載のブラシ化粧品容器。
【発明の詳細な説明】
【０００１】
【発明の属する技術分野】
本発明は口紅、頬紅、アイシャドウ等のメーキャップに使われるブラシと化粧料の収納部とを組み合わせたブラシ化粧品容器に関するものである。
【０００２】
【従来の技術】
メーキャップ用の固形化粧料の収納容器では、外出先等において化粧が簡単に行えるように、化粧料と、この化粧料を付着させて使用するブラシを一体的に組付けた容器が使用されている。
【０００３】
このブラシを利用して使われる化粧料の収納部の代表的な構成は、有底筒形状をした収納部内に、化粧料を収納保持した有底筒形状の中皿体を摺動自在かつ抜け出し不能に組付け、収納部の底部に基端を組付け固定したスプリングの先端を中皿体に弾接させたものとなっている。
【０００４】
上記した構成の化粧料収納部に対して、ブラシは、その先を化粧料収納部内に挿入した状態で収納部の開口部に嵌入組付けされるものとなっており、このブラシの着脱により容器の開閉を達成するようにしている。
【０００５】
そして、ブラシの先への化粧料の付着は、ブラシを収納部に組付けることにより、収納部内に挿入されたブラシが、スプリングの弾力に逆らって中皿体を後退させる際における、中皿体に収納保持された化粧料への押圧により達成され、すなわち、容器を閉鎖すべくブラシを容器に組付けることにより、このブラシを利用しての化粧料の使用が可能な状態となるのである。
【０００６】
また、実開平７−２７４０８号公報には、収納部の内周面に回動案内用の螺溝を刻設し、中皿体の筒壁の外周面にこの螺溝に螺合する螺片を突設することにより、ブラシを収納本体に挿入し、組付けるに際して、スプリングで押圧された状態でさらにブラシを化粧料に対して回動変位させて化粧料に擦り付けることにより、化粧に必要とする量の化粧料をブラシに確実に付着させる方法についての記載がある。
【０００７】
【発明が解決しようとする課題】
しかしながら、ブラシの毛先が使用によって広がり化粧料収納部にブラシを挿入することがし難くなるという問題があり、またブラシは目的に応じて、毛の太さ、硬さ、本数等を変えて各種作成されるが、たとえばソフトなタッチでメークアップする必要が或る場合には、細く、柔らかい材質の毛を使用し、柄の部分から毛先を膨らませた形状で作成され、このようなブラシにたいして、上記のような筒状の化粧料収納部を使用することはできなかった。
【０００８】
本発明は上記した、従来技術における問題点を解消すべく創案されたもので、ブラシの毛の材質、形状に関わらず化粧料を収納した筒状の化粧料収納部への挿入操作、化粧料のブラシへの擦り付け操作、および化粧料の交換操作が容易に確実にでき、かつ経済的に優れたブラシ化粧品容器を提供するものである。
【０００９】
【課題を解決するための手段】
上記課題を解決する本発明の内、請求項１記載の発明の手段は、
内周面に螺溝を刻設した外筒体と、この外筒体の上端部に回動自在に組付き、下端部にブラシを有したブラシ体を外筒体内から下方に突き出させて、上下動可能に、回動不能に組付けた有頂円筒状の回転体と、この回転体と外筒体の相対回動によりブラシを収束した状態で外装するカバー筒を外筒体に対し昇降させる繰出し機構と、基端を回転体の頂壁の下面に位置させ、ブラシ体を下方に付勢するスプリングと、からなるブラシ部を有すること、
胴部内周面にカバー筒の下端面が当接するアゴ部を周設し、底部に化粧料を収納する有底円筒状の収納本体を有すること、
ブラシ体を、ブラシがカバー筒で外装された状態で収納本体の上部開口部から挿入し、この収納本体内に収納可能な構成とすること、
この挿入操作において、カバー筒の下端面がアゴ部に当接して、外筒体内に後退し、ブラシが繰出し機構の作用による回動状態で、かつスプリングによる押圧状態で中皿体の化粧料に当接する構成とすること、
にある。
【００１０】
上記請求項1記載の発明の構成により、ブラシ部の外筒体と回転体を相対回動させることにより、繰出し機構の作用が発揮され、カバー筒が下降し、外筒体内から下方に充分突き出され、外筒体内から下方に突き出されて位置したブラシ体の下端部のブラシを収束しながら、その側面を外装する。
【００１１】
ブラシの使用時には、上記と逆方向に相対回動することにより、カバー筒は上昇し、その大部分が外筒内に後退して、カバー筒によるブラシの外装が除かれた状態になる。
【００１２】
ブラシ体の収納部への挿入、収納は、ブラシをカバー筒で外装してから実施するので、ブラシの毛先が収納本体の上端面に引っかかる等の問題もなくスムーズに挿入することが可能となる。
【００１３】
外筒体を手で保持しながら、ブラシ体を収納本体内に挿入していくと、まずカバー筒の下端面が、収納本体の口部の内周面に周設したアゴ部に当接し、この当接作用により、さらなる挿入においては、カバー筒は上昇して、外筒体内に後退し、ブラシの外装が除かれ、また回転体と外筒体との相対的な回動による繰出し機構の作用が発揮され、ブラシ体が回動する。
【００１４】
上記のようにブラシ体が回動した状態で、さらに挿入を進めると、ブラシの先端が、収納本体の底部に収納された化粧料に接触するが、基端を回転体の頂壁の下面に位置させ、ブラシ体を下方に付勢するスプリングにより、ブラシは押圧状態で化粧料に当接する。
【００１５】
ブラシ体の挿入のさらなる進行によって、ブラシの先端が収納本体に相対的に回動しながら、かつ押圧状態で化粧料に接触し、この擦り付けにより化粧に必要とされるだけの量の化粧料を確実にブラシの先端に付着させる。
【００１６】
使用中化粧料が徐々に減っていくに従って、ブラシが回転体に上下動可能に組付けられているので化粧料の残量により、収納本体中でのブラシ体の外装体からの下方への突き出しの量が決まるが、スプリングの弾力が常時、下方に作用しているのでブラシの先端の化粧料への押圧状態は維持さる。
【００１７】
上記のように、繰出し機構、ブラシを化粧料に対して回動する機能、スプリングによる弾力作用機能の主要な部分がブラシ部に配置されているので、収納本体は簡単な形状の容器にすることができ、補充あるいは他の色合いの化粧料を収納した収納本体をいくつか用意して使用することも可能であり、またブラシ部は繰り返し使用することができるので利便性が高くかつ経済的である。
【００１８】
請求項２記載の発明の手段は、請求項１記載の発明の手段において、回転体へのブラシ体の組付きを、上端部を回転体の頂壁下面から垂下設した嵌合筒片に下方への抜け出し不能、上下動可能、かつ回動不能に組付きし、下端部にブラシ体を組付き固定する、細筒状の軸筒材を用いて達成する構成とすること、にある。
【００１９】
請求項２記載の発明の上記構成は、ブラシ体を外筒体内から下方に突き出させて組付ける一手法であり、ブラシ体の回転体への組付き固定を容易に実施することが可能であり、必要に応じてブラシを交換することができる。
【００２０】
請求項３記載の発明の手段は、請求項１または２記載の発明の手段において、繰出し機構を、外筒体の螺溝と、略全高さ範囲にわたって縦長のガイド孔を開設し、外筒体に内接する内筒体と、外周面に前記ガイド孔を貫通して先端を外筒体の螺溝に螺合させる螺合ピンを突設し、昇降変位可能に内筒体内に挿入組付けされる円筒体片とから形成すること、
回転体を内筒体の上端部に組付き固定し、カバー筒を円筒体片に組付き固定した構成とすること、
にある。
【００２１】
請求項３記載の発明の上記構成では、外筒体に対して回転体を相対的に回動させることにより、内筒体が回動し、円筒体片が外筒体の螺溝に沿って回動しながら内筒体のガイド孔を昇降することにより繰出し機構の作用が発揮され、円筒体片に組付き固定したカバー筒を外筒体に対して昇降可能とする。
【００２２】
この際、回転体と円筒体片の相対的な回動がないので、カバー筒とブラシの相対的な回動がなく、カバー筒でブラシを外装、あるいはカバー筒による外装を除く動作においてブラシの毛先がねじれるような変形を防ぎ、長期使用によるブラシの形状の変形を抑制することができる。
【００２３】
逆に、外筒体を保持しながら、カバー筒を外筒体に対して昇降させると、この繰出し機構の作用により相互に回転不能に組付けられた内筒体と回転体とブラシ体が外筒体に対して相対的に回動する。
【００２４】
請求項４記載の発明の手段は、請求項１、２または３記載の発明の手段において、収納本体の底部を、着脱自在な中皿体とすること、にある。
【００２５】
請求項４記載の発明の上記構成により、中皿体を収納本体から取り外し、容易に化粧料の補充、交換を実施することができより経済的である。
【００２６】
請求項５記載の発明の手段は、請求項４記載の発明の手段において、中皿体を透明にすること、にある。
【００２７】
請求項5記載の発明の上記構成により、使用中の化粧料の残量、色合いを容易に確認することができる。
【００２８】
【発明の実施の形態】
図１ないし図３に、本発明のブラシ化粧品容器の一実施例を示す。
本実施例の容器は、ブラシ部１と収納本体４３からなり、ブラシ部１は外筒体２、内筒体１１、円筒体片１７、回転体２１、軸筒材２４、カバー筒１９、ブラシ体３１の部材から構成される（図１参照）。
【００２９】
外筒体２は円筒状であり、内周面には、下端部に、後述する収納本体４３の口部４２に外嵌、螺合するための外筒螺条４ａが、この外筒螺条４ａの上位に、後述する内筒体１１の外筒体２から上方への突き抜けを不能にするための係止段差５ｂが、この係止段差５ｂの上位から上端に至るまでの部分には、軸心に対して対向する位置に２本の螺溝３が形成されており、また外周面上端部には、後述する回転体２１が外嵌、突当り係止するための突当り段差５ａが形成されている。
【００３０】
内筒体１１は、外筒体２に略内接する外径の円筒状であり、略全高さにわたって、軸心に対して対向する２箇所に、縦長のガイド孔１２を開設しており、下端部には、外筒体２の係止段差５ｂに係止する外鍔状の外鍔係止片１４を付設し、上端部には、後述する回転体２１に組付き固定するための、内鍔状の内鍔係止片１３を付設している。
【００３１】
円筒体片１７は、内筒体１１に略内接する外径の円筒状であり、外周面に、内筒体１１のガイド孔１２を貫通して、先端を外筒体２の螺溝３に螺合する螺合ピン１８を、軸心に関して対向する２箇所に突設し、また外周面下部には、後述するカバー筒１９の上端部に嵌入するための嵌入段差１７ａが形成されている。
【００３２】
カバー筒１９は、円筒状であり、上端部が、円筒体片１７の下部である嵌入段差１７ａに外嵌組付き固定する。
【００３３】
回転体２１は、外筒体２の上端部に回動自在に外嵌する内径の有頂円筒状であり、頂壁２２の下面には、内筒体１１の上端部に形成された内鍔係止片１３に係止し、内筒体１１を組付き固定するための内筒係止筒片２３ａを垂下設し、また後述する軸筒材２４の上端部を下方への抜け出し不能、上下動可能かつ回動不能に組付ける、内筒片2３ｂ１と外筒片２３ｂ２との２重円筒状の嵌合筒片２３ｂを垂下設している。
【００３４】
また、内筒片２３ｂ１の外周面の軸心に対して対向する位置の2箇所に、後述する軸筒材２４のガイド縦溝２４ａに嵌入するガイド縦条２３ｂ３が付設されており、外筒片２３ｂ２の内周面上端には軸筒材２４の下方への抜け出しを不能とする係止周条２３ｂ４を周設している。
【００３５】
軸筒材２４は、細い円筒状であり、上端部内周面には、ガイド縦条２３ｂ３と嵌合するガイド縦溝２４ａを２箇所に刻設し、上端面から外鍔状に外筒片２３ｂ２の係止周条２３ｂ４と係止する軸筒材係止片２４ｂを付設し、下端部にはブラシ体３１の固定部３４が螺合組付きされる。
【００３６】
また、軸筒材２４の下端面から外鍔状の当接片２４ｃを介してスプリング２７の先端部に外嵌し、スプリング２７の位置を一定に保持するためのスプリング保持筒片２４ｄを立設しており、下端部にブラシ体３１の固定部３４を螺合組付けした状態で、当接片２４ｃの上面にスプリング２７の先端が当接し、下面にブラシ体３１の柄３３の上面が当接する構成としている。
【００３７】
ブラシ体３１は、ブラシ３２と、その一端を収束固定し、前記カバー筒１９に略内接する外径の円柱状の柄３３と、その上部に立設された、軸筒材２４の下端部に螺合組付き固定される固定部３４とから形成される。
【００３８】
上記部材から構成される、ブラシ部１の組み立て状態を説明する。
内筒体１１は、回動自在に、外鍔係止片１４と係止段差５ｂの当接により上方への抜け出し不能に、また上端を若干突き出しながら外筒体２に内接し、回転体２１は、その下端面を、突当り段差５ａに当接しながら、外筒体２の上端部に回動自在に外嵌し、内筒係止筒片２３ａと内鍔係止片１３の係止により内筒体１１の上端部に組付き固定されている。
【００３９】
円筒体片１７は、螺合ピン１８を内筒体１１のガイド孔１２を貫通して、外筒体２の螺溝３に挿入しながら内筒体１１内に組付き、この外筒体２の螺溝３と内筒体１１と円筒体片１７により繰出し機構Ｋが構成され、外筒体２に対して回転体２１を相対回動させると、内筒体１１が回動し円筒体片１７が外筒体２の螺溝３により回動しながら内筒体１１のガイド孔１２に沿って昇降し、円筒体片１７の下部に外嵌組付き固定したカバー筒１９が外筒体２に対して昇降可能となる。
【００４０】
軸筒材２４は、２重円筒状の嵌合筒片２３ｂを構成する内筒片２３ｂ１と外筒片２３ｂ２との間隙に上端部を嵌入し、軸筒材係止片２４ｂと係止周条２３ｂ４の係止により下方への抜け出し不能に、ガイド縦溝２４ａとガイド縦条２３ｂ３により上下動可能に、回動不能に回転体２１に組付けられている。
【００４１】
また、軸筒材２４の下端部には、ブラシ体３１の固定部３４が、ブラシ３２と柄３３の下部が外筒体２の下部開口部から下方にむけて突き出る位置になるように螺合組付けされている。
【００４２】
スプリング２７は、その上端部を回転体２１の嵌合筒片２３ｂの外筒片２３ｂ２に外嵌し、その下端部を軸筒材２４のスプリング保持筒片２４ｄに嵌入して、その姿勢および位置を保持しながら、基端を回転体２１の頂壁２２の下面に当接させ、先端を当接片２４ｃの上面に当接させて、ブラシ体３１に常時、下方への弾力を作用させている。
【００４３】
収納本体４３は有底円筒形状であり、底部４３ｂ、胴部４３ａ、口部４２からなり、口部４２の外周面には、ブラシ部１の外筒体２の外筒螺条４ａと螺合組付きする螺条４２ａが形成され、胴部４３ａ内周面には、カバー筒１９の下端面に当接する段差状のアゴ部４３ａ１が周設されている。
【００４４】
また、本実施例では、底部４３ｂを、胴部４３ａから螺合、螺脱により着脱可能な有底円筒状の中皿体４８とし、中皿体４８には、化粧料４６が収納されており、底面の形状、および化粧料の上面の形状は、ブラシ３２の先端部の形状に合せて半球状に窪んだ形状となっている。
【００４５】
ここで、中皿体４８を透明性を有した材料で形成することにより、外部から容易に化粧料４６の残量あるいは色合いを確認することができる。
【００４６】
つぎに、本実施例のブラシ化粧品容器の使用の状態を説明する。
通常、ブラシ部１と収納本体４３を螺合組み付けした状態で保管し（図３（ｂ）参照）、ブラシ部１を収納本体４３から取り外しメーキャップに使用するが、ブラシ部１を取り外した状態では、カバー筒１９はその大部分を外筒体２内に後退した状態であり、そのまま使用することができる（図１参照）。
【００４７】
ブラシ部１を収納本体４３に組付け収納する際には、まず回転体２１を外筒体２に対して相対的に回動させ、カバー筒１９を降下させ、外筒体２内から充分突き出し、ブラシ３２の毛先の束を収束しながらその側面を外装した状態で、ブラシ体３１を収納本体４３の上部開口部から挿入するが、カバー筒１９の外装により毛先が収納本体４３（口部４２）の上端面に引っかかる問題もなくスムーズに操作することができる（図２（ａ）参照）。
【００４８】
また、ブラシ３２をカバー筒１９により外装、あるいはこの外装を除く動作において、カバー筒１９とブラシ体３１の相対的な回動がないので、ブラシ３２の毛先をねじるような変形がなく、長期使用によるブラシの形状の変形を抑制することができる。
【００４９】
次に、外筒体２を手で保持しながら、ブラシ体３１を収納本体４３内に挿入していくと、カバー筒１９の下端面が、収納本体４３の胴部４３ａ内周面に周設したアゴ部４３ａ１に当接し、この当接作用により、さらなる挿入においては、カバー筒１９は外筒体２に対して上昇して、外筒体２内に後退し、ブラシ３２の外装が除かれ、このカバー筒１９の後退による繰出し機構Kの作用により、手で保持した外筒体２に対して回転体２１が相対回動し、ブラシ３２が回動する。
【００５０】
ブラシ３２が回動した状態で、さらに挿入を進めると、ブラシ３２の先端が収中皿体４８に収納された化粧料４６に接触するが、ブラシ体３１に対するスプリング２７の下方への弾力作用により、ブラシ３２は押圧状態で化粧料４６に当接する（図３（ａ）参照）。
【００５１】
すなわち、ブラシ部３１の挿入のさらなる進行によって、ブラシ３２の先端が中皿体４８に相対的に回動しながら、かつ押圧状態で化粧料４６に当接し、この擦り付けにより、化粧に必要とされるだけの量の化粧料４６が確実にブラシ３２の先端に付着し、次の使用に備えることができる。
【００５２】
使用により、化粧料４６が徐々に減っていくが、ブラシ体３１が回転体２１に上下動可能に組付けられており、またブラシ体３１にスプリング２７の弾力が常時、下方に作用しているのでブラシ３２の先端の化粧料４６への押圧状態は常時維持される。
【００５３】
化粧料４６を使い切った場合、または異なる色合いの化粧料４６を使用したい場合には、中皿体４８を取り外すことにより、容易に化粧料４６の補充，交換等ができる。この際、中皿体４８が透明であり、外部から化粧料４６の残量、色合いを確認できる。
【００５４】
また、ブラシ体３１の固定部３４を軸筒材２４の下端部に螺合組付けする構成であり、必要に応じてブラシ体３１も容易に交換することができ、大部分を繰り返しあるいは共用して使用することができ、中皿体４８、ブラシ体３１等の部分のみ交換して使用することができる。
【００５５】
本実施例においては、ブラシ部１と収納本体４３を螺合により組付ける方法を採用したが、組付き方法は螺合に限らず、操作しやすさ等の面から必要であればたとえば、係止周条による組付き方法等を採用することできる。
【００５６】
【発明の効果】
請求項１記載の発明は、外筒体と回転体との相対的な回動によりカバー筒が外筒体に対して昇降可能な構成としたので、ブラシの毛の材質、形状に関わらず、ブラシを収束しながらその側面をカバー筒で外装することができ、ブラシを筒状の化粧料の収納本体へ容易に挿入することができるようになった。
【００５７】
カバー筒とブラシの相対的な回動がない構成とすることが可能であり、ブラシの毛先がねじれるような変形を防ぎ、長期使用によるブラシの形状の変形を抑制することができる。
【００５８】
ブラシ部の収納本体への挿入、収納操作により、ブラシ先端が中皿体に相対的に回動しながら、かつスプリングによる押圧状態で化粧料に当接するので、この擦り付けにより、化粧に必要とされるだけの量の化粧料を確実にブラシ先端に付着させることができる。
【００５９】
収納本体は簡単な形状の容器であるので、補充用の、あるいは他の色合いの化粧料を収納した収納本体をいくつか用意して使用することもでき、またブラシ部は繰り返し使用することができるので利便性が高くかつ経済的である。
【００６０】
以上の効果により、請求項１記載の発明は、ブラシの筒状の化粧料収納本体への挿入操作、化粧料のブラシへの擦り付け操作が容易にかつ確実にでき、かつ利便性、経済性にも優れたブラシ化粧品容器を提供するものである。
【００６１】
請求項２記載の発明は、回転体とブラシ体の組付き固定を軸筒材で達成する構成であり、ブラシ体を回転体に着脱自在に組付けることが可能であり、必要に応じてブラシを交換あるいは付け替えることができる。
【００６２】
請求項３記載の発明は、回転体の外筒体に対する相対的回動により、内筒体、円筒片を介して、カバー筒の外筒体に対する昇降をスムーズに達成することができる。
【００６３】
請求項４記載の発明は、化粧料を収納する収納本体の底部を、着脱自在な中皿体としたので、この中皿体を収納本体から簡単に取り外すことができ、化粧料の補充、交換等をより経済的に実施することができる。
【００６４】
請求項５記載の発明は、中皿体を透明にしたものであり、化粧料の残量、色合いを容易に確認することができ、利便性をより高くすることができる。
【図面の簡単な説明】
【図１】本発明の一実施例のブラシ部を示す、半縦断面図。
【図２】本発明の一実施例の分解図で、カバー筒でブラシを外装した状態のブラシ部と収納本体を半縦断面で示した、分解図。
【図３】本発明の一実施例で、ブラシ部を収納本体に挿入、収納した状態を示した、半縦断面図。
【符号の説明】
１      ；  ブラシ部
２      ；  外筒体
３      ；  螺溝
４ａ    ；  外筒螺条
５ａ    ；  突当り段差
５ｂ    ；  係止段差
１１    ；  内筒体
１２    ；  ガイド孔
１３    ；  内鍔係止片
１４    ；  外鍔係止片
１７    ；  円筒体片
１７ａ  ；  嵌入段差
１８    ；  螺合ピン
１９    ；  カバー筒
２１    ；  回転体
２２    ；  頂壁
２３ａ  ；  内筒係止筒片
２３ｂ  ；  嵌合筒片
２３ｂ１；  内筒片
２３ｂ２；  外筒片
２３ｂ３；  ガイド縦条
２３ｂ４；  係止周条
２４    ；  軸筒材
２４ａ  ；  ガイド縦溝
２４ｂ  ；  軸筒材係止片
２４ｃ  ；  当接片
２４ｄ  ；  スプリング保持筒片
２７    ；  スプリング
３１    ；  ブラシ体
３２    ；  ブラシ
３３    ；  柄
３４    ；  固定部
Ｋ      ；  繰出し機構
４２    ；  口部
４２ａ  ；  螺条
４３    ；  収納本体
４３ａ  ；  胴部
４３ａ１；  アゴ部
４３ｂ  ；  底部
４６    ；  化粧料
４８    ；  中皿体
【図１】
0004129554.tif 000002
【図２】
0004129554.tif 000003
【図３】
0004129554.tif 000004